(57)【要約】【課題】空調装置に使用される膨張弁の主要な部品を組込んでカセットユニットとし、別体のハウジングに挿入して膨張弁の機能を完成する。【解決手段】空調装置のエバポレータ１０は、冷媒の入口ポート１２と出口ポート１４を有する。エバポレータの隔壁１６は延長されてハウジング２００を形成する。ハウジング２００は、コンプレッサ側からの冷媒の入口穴２１０と、エバポレータの入口ポート１２に連通する出口穴２２０と、エバポレータから戻る冷媒の通路２３０が設けられる。カセットユニット１００は、パイプ部材１１０とフランジ部材１２０、蓋部材１３０を有し、ダイアフラムや弁体の駆動手段等の主要部品が組込まれる。このカセットユニット１００をハウジング２００の段付穴２４０に挿入して膨張弁を構成する。【選択図】　　　　図１
2004053060.tif 000002
【特許請求の範囲】
【請求項１】
膨張弁の主要な部品が装備されたカセットユニットと、カセットユニットがシール部材とともに挿入される冷媒の通路を有するハウジングにより構成される膨張弁であって、
カセットユニットは、パイプ部材とパイプ部材に開口される冷媒の通路と、パイプ部材の端部に連結されるフランジ部材と、フランジ部材を覆う蓋部材と、フランジ部材と蓋部材の間に取付けられるダイアフラムと、ダイアフラムの変位を弁体に伝達して冷媒の流量を制御する弁機構を備え、
ハウジングは、空調装置のエバポレータと一体に設けられる膨張弁。
【請求項２】
ハウジングは、ロウ付け手段によりエバポレータに接合される請求項１記載の膨張弁。
【請求項３】
ハウジングとエバポレータを連結するパイプ部材を備える請求項１記載の膨張弁。
【請求項４】
ハウジングは、エバポレータの冷媒タンク内に設けられる請求項１記載の膨張弁。
【発明の詳細な説明】
【０００１】
【発明の属する技術分野】
本発明は、カーエアコン等の空調装置に使用される膨張弁に係り、主要な部材をカセットユニットに構成し、ハウジングに対して挿入して膨張弁の機能を完成させる膨張弁に関する。
【０００２】
【従来の技術】
カーエアコン等の空調装置に使用される膨張弁は、一般的にアルミ合金等でつくられる弁本体と、弁本体に設けられる弁座と、弁座に当接する弁体と、弁体の駆動手段を有する。
弁本体には、コンプレッサから送られてくる冷媒の入口と、エバポレータへ向かう冷媒の出口と、入口と出口の間に配設される弁室が設けられる。
また、弁本体には、エバポレータからコンプレッサ側へ戻る冷媒の通路が設けられる。弁体の駆動手段はダイアフラムを有し、ダイアフラムの変位はシャフトを介して弁体に伝達される。
【０００３】
【発明が解決しようとする課題】
上述した従来の膨張弁は、空調装置の主要な部品として完成された機器として提供されてきた。
本発明は、膨張弁の主要な構成要素をカセットユニットとして製作し、このカセットユニットを別体として用意されるハウジングにシール部材とともに挿入し、組み付けることで膨張弁の機能を完成させるものである。
ハウジングはエバポレータと一体に、又は隣接して設けられ、空調装置全体の小型、軽量化が図られる。
【０００４】
【課題を解決するための手段】
本発明の膨張弁は、膨張弁の主要な部品が装備されたカセットユニットと、カセットユニットがシール部材とともに挿入される冷媒の通路を有するハウジングにより構成される。そして、カセットユニットは、パイプ部材とパイプ部材に開口される冷媒の通路と、パイプ部材の端部に連結されるフランジ部材と、フランジ部材を覆う蓋部材と、フランジ部材と蓋部材の間に取付けられるダイアフラムと、ダイアフラムの変位を弁体に伝達して冷媒の流量を制御する弁機構を備える。また、ハウジングは、空調装置のエバポレータと一体に設けられるものである。
【０００５】
ハウジングは、ロウ付け手段によりエバポレータに接合され、ハウジングとエバポレータを連結するパイプ部材を備える。
さらに、ハウジングは、エバポレータの冷媒タンク内に設けらることもできる。
【０００６】
【発明の実施の形態】
図１は、本発明のカセット式膨張弁の取付構造を示す断面図（ａ）と、右側面図（ｂ）である。
空調装置の蒸発器（エバポレータ）１０は、例えば、カーエアコンの場合には、運転席周辺のダッシュボードの内側に装備される。
エバポレータ１０は、高圧の冷媒が流入する入口ポート１２と、熱交換が完了した冷媒が流出する出口ポート１４を有し、隔壁１６により覆われている。
【０００７】
ハウジング２００は、この隔壁１６に取付けられるか、または、隔壁そのものを延長して形成される。ハウジング２００は、コンプレッサからの冷媒の流入口２１０と、流量が制御された冷媒をエバポレータ側の入口ポート１２へ送り出す送出口２２０と、エバポレータ側の出口ポート１４に連結される冷媒の戻り通路２３０を有する。
ハウジング２００は、これらの冷媒の通路に直交する方向に、段付の取付穴２４０が設けてあり、膨張弁のカセットユニット１００が挿入される。
【０００８】
カセットユニット１００は、パイプ部材１１０を有し、パイプ部材１１０には、冷媒の入口穴１１２、エバポレータへ向かう冷媒の出口穴１１４、エバポレータから戻る冷媒の通過穴１１６が設けられる。パイプ部材１１０の上端はフランジ部材１２０に連結され、フランジ部材１２０に蓋部材１３０が覆せられる。
【０００９】
フランジ部材１２０と蓋部材１３０の内部には、ダイアフラムが取付けられ、ダイアフラムの変位は弁棒を介して弁体に伝達される。弁体の移動によって、入口穴１１２から流入する冷媒の流量は制御されて、出口穴１１４からエバポレータの入口ポート１２へ供給される。エバポレータの出口ポート１４から戻る冷媒は、通過穴１１６を通る間に、その圧力情報と温度情報をダイアフラム側へ伝達する。上述した膨張弁の機能は、通常の膨張弁と同様である。
【００１０】
カセットユニット１００は、ハウジングの取付穴２４０に対して、シールリング１６０，１６２，１６４等によりシールされる。蓋部材１３０の上部は、Ｃリング１４０で固定され、ゴムキャップ１５０で異物の浸入が防止される。
【００１１】
ハウジング２００のエバポレータ１０の反対側には、フランジ５０がボルト６０により固着される。このフランジ５０は、コンプレッサの吐出側へ連通する通路５２と、コンプレッサの吸込側へ連通する通路５４を有し、ハウジング２００に対してシールリング７０，７２を介して取付けられる。
【００１２】
この膨張弁のカセットユニット１００は以上のように、エバポレータ１０に隣接して配設されるので、エアコン全体の小型、軽量化を図ることができる。また、取付スペースも削減できる。
【００１３】
図２は、本発明の他の形態を示す断面図である。
ハウジング３００は、エバポレータ１０の隔壁１６に開口する冷媒の入口ポート１２と、出口ポート１４に連結して取付けられる。
ハウジング３００は、コンプレッサからの冷媒の流入口３１０と、流量が制御された冷媒をエバポレータ側の入口ポート１２へ送り出す送出口３２０を有し、入口ポート１２への連結部はパイプ部３２２に形成される。また、エバポレータの出口ポート１４に連結される冷媒の戻り通路３３０を有し、出口ポート１４の連結部はパイプ部３３２に形成される。両パイプ部３２２，３３２は、ロウ付け手段Ｗ１により隔壁１６に接合される。
【００１４】
ハウジング３００は、これらの冷媒の通路に直交する方向に段付の取付穴３４０が設けてあり、膨張弁のカセットユニット１００が挿入される。
このカセットユニット１００の構造は、図１で説明したものと同様であり、説明を省略する。
【００１５】
ハウジング３００のエバポレータ１０の反対側にはフランジ５０がボルト６０により固着される。このフランジ５０は、コンプレッサの吐出側へ連通される通路５２と、コンプレッサの吸込側へ連通される通路５４を有する。
ハウジング３００に対する取付構造は、図１で説明したものと同様であり、説明を省略する。
【００１６】
図３は、本発明の他の形態を示す断面図である。
ハウジング４００は、エバポレータ１０の隔壁１６に開口する冷媒の入口ポート１２と、出口ポート１４に連結して取付けられる。
ハウジング４００は、コンプレッサからの冷媒の流入口４１０と、流量が制御された冷媒をエバポレータ側の入口ポート１２へ送り出す送出口４２０を有し、入口ポート１２へはパイプ４５０で連結される。また、エバポレータの出口ポート１４に連結される冷媒の戻り通路４３０を有し、出口ポート１４へはパイプ４６０で連結される。両パイプ部４５０，４６０は、ロウ付け手段Ｗ１により隔壁１６とハウジング４００に接合される。
【００１７】
ハウジング４００は、これらの冷媒の通路に直交する方向に段付の取付穴４４０が設けてあり、膨張弁のカセットユニット１００が挿入される。
このカセットユニット１００の構造は、図１で説明したものと同様であり、説明を省略する。
【００１８】
ハウジング４００のエバポレータ１０の反対側にはフランジ５０がボルト６０により固着される。このフランジ５０は、コンプレッサの吐出側へ連通される通路５２と、コンプレッサの吸込側へ連通される通路５４を有する。
ハウジング４００に対する取付構造は、図１で説明したものと同様であり、説明を省略する。
【００１９】
図４は、本発明の他の形態を示す断面図である。
ハウジング５００は、エバポレータ１０の隔壁１６に開口する冷媒の入口ポート１２と、出口ポート１４に連結して取付けられる。
ハウジング５００は、コンプレッサからの冷媒の流入口５１０と、流量が制御された冷媒をエバポレータ側の入口ポート１２へ送り出す送出口５２０を有し、入口ポート１２へはパイプ５５０で連結される。また、エバポレータの出口ポート１４に連結される冷媒の戻り通路５３０を有し、出口ポート１４へはパイプ５６０で連結される。両パイプ部５５０，５６０は、ロウ付け手段Ｗ１により隔壁１６とハウジング５００に接合される。
【００２０】
ハウジング５００は、これらの冷媒の通路に直交する方向に段付の取付穴５４０が設けてあり、膨張弁のカセットユニット１００が挿入される。
このカセットユニット１００の構造は、図１で説明したものと同様であり、説明を省略する。
【００２１】
ハウジング５００のエバポレータ１０の反対側にはフランジ５０がボルト６０により固着される。このフランジ５０は、コンプレッサの吐出側へ連通される通路５２と、コンプレッサの吸込側へ連通される通路５４を有する。
ハウジング５００に対する取付構造は、図１で説明したものと同様であり、説明を省略する。
【００２２】
この装置にあっては、エバポレータ１０とハウジング５００を長尺のパイプ５５０，５６０で連結するので、膨張弁を構成するハウジング５００を自動車のエンジンルーム内に設置することができる。
【００２３】
図５は、本発明の他の形態を示す断面図である。
エバポレータ１０は、冷媒の入口ポート１２に連通される流入側のタンク１２ａと、冷媒の出口ポート１４に連通される流出側のタンク１４ａを有し、板材１３で区画されている。エバポレータ１０の内部には、段付のパイプ形状のハウジング４０が設けられ、膨張弁のカセットユニット１００が挿入される。このカセットユニット１００の構造は、図１で説明したものと同様であり、説明を省略する。
【００２４】
エバポレータ１０の隔壁１６を貫通して２本のパイプ４２，４４がハウジング４０に接続される。パイプ４２は、コンプレッサの吐出側に連通され、パイプ４４はコンプレッサの吸込側に連通される。
この装置は、エバポレータ内に膨張弁機構を装備することができる。
【００２５】
【発明の効果】
本発明の膨張弁は以上のように、膨張弁の主要部である弁機構と、この弁機構の駆動部をカセットユニットに構成し、冷媒の通路等を有するハウジングとは別体に構成したものである。
ハウジングに対してカセットユニットを挿入し、シール構造を備えることにより膨張弁を完成することができる。
そこで、ハウジングをエバポレータに隣接して設けたり、または、ハウジングをエバポレータ内に設けることができ、設計の自由度が向上する。また、部品点数も削減することができ、空調装置全体の小型、軽量化を達成することができる。
【図面の簡単な説明】
【図１】本発明の実施の形態を示す説明図。
【図２】本発明の他の実施の形態を示す説明図。
【図３】本発明の他の実施の形態を示す説明図。
【図４】本発明の他の実施の形態を示す説明図。
【図５】本発明の他の実施の形態を示す説明図。
【符号の説明】
１０　エバポレータ
１２　入口ポート
１４　出口ポート
１６　隔壁
５０　フランジ
６０　ボルト
１００　カセットユニット
１１０　パイプ部材
１２０　フランジ部材
１３０　蓋部材
２００　ハウジング
【図１】
2004053060.tif 000003
【図２】
2004053060.tif 000004
【図３】
2004053060.tif 000005
【図４】
2004053060.tif 000006
【図５】
2004053060.tif 000007